(57)【要約】      （修正有）【課題】コンタクトレンズの装用快適性を効率的に向上する。【解決手段】清涼剤と、ラウロイル乳酸ナトリウム、ポリオキシエチレンラウレス硫酸塩、ポリオキシプロピレングリコール、ポリオキシエチレン硬化ヒマシ油、ポリビニルピロリドン（ＰＶＰ）、ＳＤＳ、ＴＷＥＥＮ８０ＴＭ及びＧＥＲＯＰＯＮＴＭＳＢＦＡ−３０の中の１種類又は２種類以上の組合せを含む界面活性剤とを含む。【選択図】図１
2018173618.tif 000002
【特許請求の範囲】
【請求項１】
清涼剤と、
ラウロイル乳酸ナトリウム（ｓｏｄｉｕｍ  ｌａｕｒｏｙｌ  ｌａｃｔｙｌａｔｅ）、ポリオキシエチレンラウレス硫酸塩（ｐｏｌｙｏｘｙｅｔｈｙｌｅｎｅ  ｌａｕｒｅｔｈ  ｓｕｌｆａｔｅ）、ポリオキシプロピレングリコール（ｐｏｌｙｏｘｙｐｒｏｐｙｌｅｎｅ  ｇｌｙｃｏｌ）、ポリオキシエチレン硬化ヒマシ油（ｐｏｌｙｏｘｙｅｔｈｙｌｅｎｅ  ｈａｒｄｅｎｅｄ  ｃａｓｔｏｒ  ｏｉｌ）、ポリビニルピロリドン（ＰＶＰ）、ＳＤＳ、ＴＷＥＥＮ  ８０ＴＭ及びＧＥＲＯＰＯＮＴＭ  ＳＢＦＡ−３０の中の１種類又は２種類以上の組合せを含む界面活性剤と、
を含むことを特徴とする、コンタクトレンズ用組成物。
【請求項２】
前記界面活性剤の含有量は、０．００１％（ｗ／ｖ）〜０．５％（ｗ／ｖ）であることを特徴とする、請求項１に記載のコンタクトレンズ用組成物。
【請求項３】
前記清涼剤は、メントール、カンファ、ボルネオール、乳酸メンチルエステル（ｍｅｎｔｈｙｌ  ｌａｃｔａｔｅ）、メントングリセリンケタール（ｍｅｎｔｈｏｎｅ−ｇｌｙｃｅｒｏｌ  ｋｅｔａｌ）、コハク酸モノメチル（ｍｏｎｏｍｅｔｈｙｌ  ｓｕｃｃｉｎａｔｅ）及びパラメンタン−３，８−ジオール（ｐ−ｍｅｎｔｈａｎｅ−３，８−ｄｏｉｌ）の中の１種類又は２種類以上の組合せを含むことを特徴とする、請求項１に記載のコンタクトレンズ用組成物。
【請求項４】
前記清涼剤はメントールであることを特徴とする、請求項１に記載のコンタクトレンズ用組成物。
【請求項５】
前記清涼剤の含有量は、０．００１％（ｗ／ｖ）〜０．２５％（ｗ／ｖ）であることを特徴とする、請求項３又は４に記載のコンタクトレンズ用組成物。
【請求項６】
ポリエチレングリコール（ＰＥＧ４００）、メタクリロイルオキシエチルホスホリルコリン（ＭＰＣ）及びヒアルロン酸（ｈｙａｌｕｒｏｎｉｃ  ａｃｉｄ）の中の１種類又は２種類以上の組合せを含む水溶性重合体を更に含むことを特徴とする、請求項１に記載のコンタクトレンズ用組成物。
【請求項７】
前記水溶性重合体はポリエチレングリコールとメタクリロイルオキシエチルホスホリルコリンとを含み、
ポリエチレングリコールとメタクリロイルオキシエチルホスホリルコリンの重量比は１：２０であることを特徴とする、請求項６に記載のコンタクトレンズ用組成物。
【請求項８】
前記水溶性重合体の含有量は、０．０５％（ｗ／ｖ）〜５％（ｗ／ｖ）であることを特徴とする、請求項６又は７に記載のコンタクトレンズ用組成物。
【請求項９】
ホウ酸及びテトラホウ酸ナトリウムを含む緩衝剤を更に含むことを特徴とする、請求項１に記載のコンタクトレンズ用組成物。
【発明の詳細な説明】
【技術分野】
【０００１】
本発明は、コンタクトレンズ用組成物に関し、特にコンタクトレンズ保存液に用いられるコンタクトレンズ用組成物に関する。
【背景技術】
【０００２】
ところで、情報化社会が訪れた後、コンピュータとスマートフォンが多く用いられた結果、国民の近視の割合が高まっているだけでなく、近視年齢層も年々下がる傾向にある。利便性と美観性を考え、コンタクトレンズは非常に価値のある選択である。しかしながら、殆どの視力不良の人はコンタクトレンズを長時間装用する習慣を有する。種々の需要（例えば高含水性、高酸素透過性等）を満たすように従来のコンタクトレンズの材質が改良されたにもかかわらず、ユーザは依然としてレンズに含まれる水分が減少するためドライアイを感じ、及びレンズにおける汚物と堆積物のため目の不快感（例えば痒み、痛み等）を感じる。このため、現在、コンタクトレンズを洗浄し、再湿潤・保存する保存溶液が強く要望されている。
【発明の概要】
【発明が解決しようとする課題】
【０００３】
本発明が解決しようとする技術問題は、従来技術のデメリットについて、ユーザがコンタクトレンズを装用し始めたばかりの場合及び長時間装用し続ける場合にも、目の快適性を保持できるコンタクトレンズ用組成物を提供する。
【課題を解決するための手段】
【０００４】
上記の技術問題を解決するために、本発明に用いられる一つの技術方案は、清涼剤と、ラウロイル乳酸ナトリウム（ｓｏｄｉｕｍ  ｌａｕｒｏｙｌ  ｌａｃｔｙｌａｔｅ）、ポリオキシエチレンラウレス硫酸塩（ｐｏｌｙｏｘｙｅｔｈｙｌｅｎｅ  ｌａｕｒｅｔｈ  ｓｕｌｆａｔｅ）、ポリオキシプロピレングリコール（ｐｏｌｙｏｘｙｐｒｏｐｙｌｅｎｅ  ｇｌｙｃｏｌ）、ポリオキシエチレン硬化ヒマシ油（ｐｏｌｙｏｘｙｅｔｈｙｌｅｎｅ  ｈａｒｄｅｎｅｄ  ｃａｓｔｏｒ  ｏｉｌ）、ポリビニルピロリドン（ＰＶＰ）、ＳＤＳ、ＴＷＥＥＮ  ８０ＴＭ及びＧＥＲＯＰＯＮＴＭ  ＳＢＦＡ−３０の中の１種類又は２種類以上の組合せを含む界面活性剤と、を含むことを特徴とする、コンタクトレンズ用組成物を提供する。
【発明の効果】
【０００５】
本発明の技術方案が提供するコンタクトレンズ用組成物は、清涼剤と、ラウロイル乳酸ナトリウム（ｓｏｄｉｕｍ  ｌａｕｒｏｙｌ  ｌａｃｔｙｌａｔｅ）、ポリオキシエチレンラウレス硫酸塩（ｐｏｌｙｏｘｙｅｔｈｙｌｅｎｅ  ｌａｕｒｅｔｈ  ｓｕｌｆａｔｅ）、ポリオキシプロピレングリコール（ｐｏｌｙｏｘｙｐｒｏｐｙｌｅｎｅ  ｇｌｙｃｏｌ）、ポリオキシエチレン硬化ヒマシ油（ｐｏｌｙｏｘｙｅｔｈｙｌｅｎｅ  ｈａｒｄｅｎｅｄ  ｃａｓｔｏｒ  ｏｉｌ）、ポリビニルピロリドン（ＰＶＰ）、ＳＤＳ、ＴＷＥＥＮ  ８０ＴＭ及びＧＥＲＯＰＯＮＴＭ  ＳＢＦＡ−３０の中の１種類又は２種類以上の組合せを含む界面活性剤との配合使用により、清涼剤の使用効果をよりよく発揮することができ、コンタクトレンズ装用者の目の不快感と異物感を解消又は軽減し、目を潤滑、湿潤と清涼の状態に長時間維持することができる。
【図面の簡単な説明】
【０００６】
【図１】図１は本発明のコンタクトレンズ用組成物の使用模式図である。
【発明を実施するための形態】
【０００７】
本発明の特徴及び技術内容がより一層分かるように、以下本発明に関する詳細な説明と添付図面を参照する。しかし、提供される添付図面は参考と説明のために提供するものに過ぎず、本発明を制限するためのものではない。
【０００８】
図１を参照する。本発明の実施例に係るコンタクトレンズ用組成物は、コンタクトレンズ保存液としてコンタクトレンズと共に密閉する包装容器に装入され得る。実際の応用では、ユーザがコンタクトレンズを装用しようとするまで、コンタクトレンズは組成物に浸漬され組成物と十分な接触が保持され、その場合になって始めて、コンタクトレンズを組成物から取り出し、眼球につける。更には、コンタクトレンズが組成物に浸漬される場合、組成物中の成分はコンタクトレンズに吸着し、コンタクトレンズが眼球に移動され貼りつけられると、これらの成分は眼球に入る。
【０００９】
本発明の実施例に係るコンタクトレンズ用組成物はソフトコンタクトレンズにもハードコンタクトレンズにも適用され、また、ソフトコンタクトレンズはハイドロゲルを用いる含水性ソフトコンタクトレンズ（ハイドロゲルコンタクトレンズ）であってもよく、ブチルアクリレートとブチルメタクリレートの共重合体を用いる非含水性ソフトコンタクトレンズであってもよい。更には、本発明のコンタクトレンズ用組成物は、米国食品医薬品局（ＦＤＡ）による分類に適用され、Ｉ〜ＩＶグループ中の何れか１種類：ａｌｐｈａｆｉｌｃｏｎ、ａｓｍｏｆｉｌｃｏｎ、ｂａｌａｆｉｌｃｏｎ、ｅｔｈａｆｉｌｃｏｎ、ｈｅｆｉｌｃｏｎ、ｈｉｌａｆｉｌｃｏｎ、ｌｉｄｏｆｉｌｃｏｎ、ｌｏｔｒａｆｉｌｃｏｎ、ｍｅｔｈａｆｉｌｃｏｎ、ｎｅｌｆｉｌｃｏｎ、ｏｃｕｆｉｌｃｏｎ、ｏｍａｆｉｌｃｏｎ、ｐｈｅｍｆｉｌｃｏｎ、ｐｏｌｙｍａｃｏｎ、ｔｅｆｉｌｃｏｎ、ｔｅｔｒａｆｉｌｃｏｎ、ｖａｓｕｒｆｉｌｃｏｎ、ｖｉｆｉｌｃｏｎ、ｓｅｎｏｆｉｌｃｏｎ、ｇａｌｙｆｉｌｃｏｎ、ｅｎｆｉｌｃｏｎ、ｃｏｍｆｉｌｃｏｎ、ｎａｒａｆｉｌｃｏｎ、ｄｅｌｅｆｉｌｃｏｎ、ｅｆｒｏｆｉｌｃｏｎ、ＦＩＬＩＣＯＮ  ＩＩ  ３等に属する。
【００１０】
本発明の実施例に係るコンタクトレンズ用組成物は、主として液状の基質と、液状の基質に均一に分散される清涼剤と、界面活性剤と、水溶性重合体とを含む。
【００１１】
本実施例では、液状の基質は、ホウ酸緩衝剤又はリン酸緩衝剤を含む生理食塩水を選択してもよい。また、ホウ酸緩衝剤とリン酸緩衝剤はｐＨ緩衝作用を有し、本発明に係る組成物のｐＨを約６．８〜７．６の範囲に調整する。なお、本発明に係る組成物の浸透圧を約２５０Ｏｓｍｏｌ／Ｋｇ〜３５０Ｏｓｍｏｌ／Ｋｇの範囲に維持するように、液状の基質は適量の塩化ナトリウム又は塩化カリウムを含んでも良い。
【００１２】
ホウ酸緩衝剤はホウ酸又はホウ酸塩（例えばテトラホウ酸ナトリウム）を選択してもよい。リン酸緩衝剤はリン酸又はリン酸塩（例えばリン酸水素二ナトリウム、リン酸二水素ナトリウム等）を選択してもよい。なお、液状の基質には１種類の緩衝剤を単独で用いてもよく、２種類以上の異なる緩衝剤を組み合わせて用いてもよい。緩衝剤の濃度は、用いられる緩衝剤の種類又は他の配合成分の種類により適当に調整されても良い。
【００１３】
清涼剤は、目の不快感と異物感を解消又は軽減し、目に清涼感を与えるために添加されるものである。清涼剤は、メントール、カンファ、ボルネオール、乳酸メンチルエステル（ｍｅｎｔｈｙｌ  ｌａｃｔａｔｅ）、メントングリセリンケタール（ｍｅｎｔｈｏｎｅ−ｇｌｙｃｅｒｏｌ  ｋｅｔａｌ）、コハク酸モノメチル（ｍｏｎｏｍｅｔｈｙｌ  ｓｕｃｃｉｎａｔｅ）及びパラメンタン−３，８−ジオール（ｐ−ｍｅｎｔｈａｎｅ−３，８−ｄｏｉｌ）の中の１種類又は２種類以上の組合せを含み、その含有量は、０．００１％（ｗ／ｖ）〜０．５％（ｗ／ｖ）であってもよく、好ましくは０．００１％（ｗ／ｖ）〜０．２５％（ｗ／ｖ）である。これにより、眼球を刺激しすぎることを回避することができる。
【００１４】
界面活性剤は、コンタクトレンズを洗浄し、レンズにおける油脂、堆積物等を取り除き、コンタクトレンズの潤滑性と湿潤性を向上するために添加されるものである。界面活性剤は、ラウロイル乳酸ナトリウム（ｓｏｄｉｕｍ  ｌａｕｒｏｙｌ  ｌａｃｔｙｌａｔｅ）、ポリオキシエチレンラウレス硫酸塩（ｐｏｌｙｏｘｙｅｔｈｙｌｅｎｅ  ｌａｕｒｅｔｈ  ｓｕｌｆａｔｅ）、ポリオキシプロピレングリコール（ｐｏｌｙｏｘｙｐｒｏｐｙｌｅｎｅ  ｇｌｙｃｏｌ）、ポリオキシエチレン硬化ヒマシ油（ｐｏｌｙｏｘｙｅｔｈｙｌｅｎｅ  ｈａｒｄｅｎｅｄ  ｃａｓｔｏｒ  ｏｉｌ）、ポリビニルピロリドン（ＰＶＰ）、ＳＤＳ、ＴＷＥＥＮ  ８０ＴＭ及びＧＥＲＯＰＯＮＴＭ  ＳＢＦＡ−３０の中の１種類又は２種類以上の組合せを含み、その含有量は、０．００１％（ｗ／ｖ）〜２％（ｗ／ｖ）であってもよく、好ましくは０．００１％（ｗ／ｖ）〜０．５％（ｗ／ｖ）である。
【００１５】
なお、本発明は所定の界面活性剤を選択し清涼剤と配合使用することで、清涼剤の効果をよりよく発揮することができる。例えば、清涼剤は目の疲れ、ドライアイ、痒みと痛み等の症状を効率的に軽減し、目に清涼感を長時間維持することができる。
【００１６】
水溶性重合体の添加は、コンタクトレンズの潤滑と保湿に寄与し、それに加えて、水溶性重合体は、組成物における目に有益な成分をコンタクトレンズに保留させることにも寄与する。例えば、組成物にはビタミン（例えばビタミンＡ、ビタミンＢ群、ビタミンＥ等）が含まれると、水溶性重合体はビタミンと相互作用し、ビタミンの吸着量を増加すると同時にビタミンが迅速に失うことを回避できる。水溶性重合体は、ポリエチレングリコール（ＰＥＧ４００）、メタクリロイルオキシエチルホスホリルコリン（ＭＰＣ）及びヒアルロン酸（ｈｙａｌｕｒｏｎｉｃ  ａｃｉｄ）の中の１種類又は２種類以上の組合せを含み、最も好ましくは、同時にポリエチレングリコールとメタクリロイルオキシエチルホスホリルコリンを用いて、１：２０の重量比で添加する。水溶性重合体の含有量は、０．００２％（ｗ／ｖ）〜１０％（ｗ／ｖ）であってもよく、好ましくは０．０５％（ｗ／ｖ）〜５％（ｗ／ｖ）である。
【００１７】
［評価項目］
表１には幾つかの代表的実施例と比較例が挙げられている。実施例と比較例のコンタクトレンズ用組成物を用いて、それぞれコンタクトレンズと十分に接触し、コンタクトレンズ装用直後、装用３０分間後及び１時間後、ＶＡＳ法（Ｖｉｓｕａｌ  Ａｎａｌｏｇｕｅ  Ｓｃａｌｅ：視覚アナログスケール）で潤滑感、快適感、クール感と湿潤感等の項目を評価し、各評価項目に対して、いずれも３名（６眼）の点数の平均値を計算し、結果を表２に示す。
【００１８】
【表１】
2018173618.tif 000003
【００１９】
【表２】
2018173618.tif 000004
【００２０】
［実施例の有益な効果］
本発明の実施例に係るコンタクトレンズ用組成物は、清涼剤と、ラウロイル乳酸ナトリウム（ｓｏｄｉｕｍ  ｌａｕｒｏｙｌ  ｌａｃｔｙｌａｔｅ）、ポリオキシエチレンラウレス硫酸塩（ｐｏｌｙｏｘｙｅｔｈｙｌｅｎｅ  ｌａｕｒｅｔｈ  ｓｕｌｆａｔｅ）、ポリオキシプロピレングリコール（ｐｏｌｙｏｘｙｐｒｏｐｙｌｅｎｅ  ｇｌｙｃｏｌ）、ポリオキシエチレン硬化ヒマシ油（ｐｏｌｙｏｘｙｅｔｈｙｌｅｎｅ  ｈａｒｄｅｎｅｄ  ｃａｓｔｏｒ  ｏｉｌ）、ポリビニルピロリドン（ＰＶＰ）、ＳＤＳ、ＴＷＥＥＮ  ８０ＴＭ及びＧＥＲＯＰＯＮＴＭ  ＳＢＦＡ−３０の中の１種類又は２種類以上の組合せを含む界面活性剤との配合使用により、清涼剤の使用効果をよりよく発揮することができ、コンタクトレンズ装用者の目の不快感と異物感を解消又は軽減し、目を潤滑、湿潤と清涼の状態に長時間維持することができる。
【００２１】
以上に開示される内容は本発明の好ましい実施可能な実施例に過ぎず、これにより本発明の特許請求の範囲を制限するものではないので、本発明の明細書及び添付図面の内容に基づき為された等価の技術変形は、全て本発明の特許請求の範囲に含まれるものとする。
【図１】
2018173618.tif 000005